(57)【要約】      （修正有）【課題】手動液体供給装置に取り付ける手動液体供給装置用自動液体供給変換装置の提供【解決手段】自動ビールディスペンサ変換装置は、変換装置本体、固定リング及び取付ベース１０５を有している。取付ベース１０５のベースプレート１０５ａに形成されるベースプレート取付開口１０５ｂに手動ビールディスペンサＭ１００のビールコック取付部Ｃ１０１を位置させ、ベースプレート固定磁石１１５ｃを用いてベースプレート１０５ａを取り付ける。固定リングの分割固定リングをビールコック取付部Ｃ１０１に取り付け、分割固定リング結合ボルトを用いて固定する。ベースプレート１０５ａの本体取付開口１０５ｄに、変換装置本体の取付突起を嵌め込み、変換装置本体を取付ベース１０５に取り付ける。【選択図】図７
2016117500.tif 000002
【特許請求の範囲】
【請求項１】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
磁力を用いて、前記取付板を固定すること、
を特徴とする手動液体供給装置を自動液体供給装置に変換する変換装置。
【請求項２】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
吸盤の吸着力を用いて、前記取付板を固定すること、
を特徴とする手動液体供給装置を自動液体供給装置に変換する変換装置。
【請求項３】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
前記取付板を前記手動液体供給装置の上面に引っ掛けることによって、前記取付板を固定すること、
を特徴とする手動液体供給装置を自動液体供給装置に変換する変換装置。
【請求項４】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
前記取付板に取り付けられる線状部材であって、前記手動液体供給装置に巻き付ける線状部材、
を有する手動液体供給装置を自動液体供給装置に変換する変換装置。
【請求項５】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
前記取付面から突出する爪状の保持部を有すること、
を特徴とする手動液体供給装置を自動液体供給装置に変換する変換装置。
【請求項６】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記手動液体供給装置の前記取付面に配置される取付係合部と係合する取付部、
を有する手動液体供給装置を自動液体供給装置に変換する変換装置。
【請求項７】
手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、
前記変換装置は、
前記手動操作部を自動的に操作する自動操作部、
前記自動操作部を取り付ける取付部であって、前記液体吐出部を配置するための液体吐出部用開口を有し、前記液体吐出部に引っ掛ける板状の取付板を有する取付部、
前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、
前記取付板を、前記取付面に対して固定する取付板固定補助部、
を有する手動液体供給装置を自動液体供給装置に変換する変換装置であって、
前記取付板固定補助部は、
下部から前記変換装置を支持すること、
を特徴とする手動液体供給装置を自動液体供給装置に変換する変換装置。
【発明の詳細な説明】
【技術分野】
【０００１】
本発明は、手動液体供給装置に取り付けて、手動液体供給装置を自動液体供給装置に変換する変換装置に関し、特に、手動液体供給装置に簡易に取り付けることができるものに関する。
【背景技術】
【０００２】
従来の手動液体供給装置を自動液体供給装置に変換する変換装置について、図３８〜図４０に示す操作レバー自動化ユニットを用いて説明する。図３８に示すように、操作レバー自動化ユニットＡはビールサーバー本体Ｂとは独立した別体品であり、手動のビールサーバー本体Ｂの前面に簡単に取り付けられ、また同様に取り外しも簡単に行える。
【０００３】
具体的には、操作レバー自動化ユニットＡ（詳しくは、操作レバー自動化ユニットＡの一部品であるユニット基板Ｂ１）に取り付け孔Ｂ１１が設けられており、この取り付け孔Ｂ１１を介してビールサーバー本体のシャンクを用い、操作レバー自動化ユニットＡはビールサーバー本体Ｂに取り付け固定される。
【０００４】
一旦、操作レバー自動化ユニットＡが、既存の手動のビールサーバー本体Ｂに取り付けられると、ビールサーバー本体Ｂのビールコック１に設けられた操作レバー１Ａの傾動操作は、操作レバー自動化ユニットＡによって自動的に行われるようになる。
【０００５】
従って、操作レバー自動化ユニットＡがビールサーバー本体Ｂに取り付けられた場合、操作レバー１Ａの傾動が操作レバー自動化ユニットＡによって自動的に行われるので、ビールサーバー本体Ｂの使用者の技量によらず、常に定量のビール及び定量の泡を容器（ジョッキ）に供給することができるようになる。
【０００６】
しかも操作レバー自動化ユニットＡは、既存の手動用のビールサーバー本体Ｂに簡単にセットでき、極めて有用性が高い。
【０００７】
次に操作レバー自動化ユニットＡのビールサーバー本体Ｂへの取り付け手順について述べる。
【０００８】
図３９は操作レバー自動化ユニットのビールサーバー本体に対する取り付け構造を示す展開図であり、図４０は操作レバー自動化ユニットがビールサーバー本体に取り付けられた状態を示す部分断面図である。
【０００９】
操作レバー自動化ユニットＡのビールサーバー本体Ｂに対する取り付けは、ビールサーバー本体Ｂに形成された本体側取り付け孔５２（ビールサーバー本体壁部５に嵌め込まれている受けスリーブ５１により形成されている）にシャンク２が挿入され、該シャンク２にビールコック１が取り付けられることにより行われる。
【００１０】
すなわち、シャンク２は袋ナット３、押さえスリーブ４、ユニット基板Ｂ１、を挿通しながら本体側取り付け孔５２に押し入れる。そして、シャンク２をビールサーバー本体壁部５に通した後、座金６を介してナット７で締め込む（図３９（ａ）参照）。
【００１１】
この締め込みにより操作レバー自動化ユニットＡは、押さえスリーブ４とビールサーバー本体壁部５との間で強く挟み込まれて固定される。そしてビールサーバー本体壁部５に固定されたシャンク２に対して、袋ナット３を使ってビールコック１を取り付ける（図３９（ｂ）参照）。この場合、ビールコック１を袋ナット３に単に螺合させるだけでよい。
【００１２】
ところで、操作レバー自動化ユニットＡの全面上部には、操作レバー１Ａを傾動させるための駆動部Ｂ２が取り付けられている。そのため、操作レバー自動化ユニットＡは装置全体としての重量バランスが悪く、回動し易くなっている。また、操作レバー１Ａが把持部１０の把持孔１０Ａに挿入されている配置関係にあるため、操作レバー自動化ユニットＡが回動するようなことは避けなければならない。
【００１３】
従って、操作レバー自動化ユニットの回動を防止するために、ユニット基板Ｂ１には回動防止手段が講じられている。具体的には、取り付け孔Ｂ１１の一部に回り止め溝Ｓが形成されている。
【００１４】
この回り止め溝Ｓを押さえスリーブ４のキー溝とビールサーバー本体壁部５のキー溝に一致させて、キー８を噛ませることにより、操作レバー自動化ユニットＡは回動しなくなり、確実にビールサーバー本体Ｂに固定される。
【００１５】
このように、ユニット基板Ｂ１に押さえスリーブ４のキー溝と、ビールサーバー本体壁部５のキー溝と、に対応した回り止め溝Ｓを敢えて設けているので、操作レバー自動化ユニットＡに回動ズレが生じることを防止できる
【００１６】
なお、受けスリーブ５１やビールサーバー本体Ｂの前面に取り付けられる図示しない断熱材は、ビールサーバー本体壁部５を構成する部材である。
【００１７】
ここで操作レバー自動化ユニットＡによる自動化を必要としていないビールサーバー本体Ｂの場合も、同様に上記のシャンク２、押さえスリーブ４、袋ナット３、座金６、ナット７が使われ、ビールコック１が操作レバー自動化ユニットＡのユニット基板Ｂ１を介さずに取り付けられていることはいうまでもない（これらの各部品は既存の手動のビールサーバー本体の部品で構成されている）。
【００１８】
ユニット基板Ｂ１には、シャンク２（ビールコック１の取り付け部分）が内挿可能である大きさの径を有する取り付け孔Ｂ１１が形成されているので、操作レバー自動化ユニットＡは販売されている殆どの手動ビールサーバー本体Ｂに適用することができ、極めて便利である（以上、特許文献１参照）。
【先行技術文献】
【特許文献】
【００１９】
【特許文献１】特開２００９−１２７８３号公報
【発明の概要】
【発明が解決しようとする課題】
【００２０】
前述の操作レバー自動化ユニットＡには、以下に示すような改善すべき点がある。操作レバー自動化ユニットＡをビールサーバー本体Ｂに対する取り付けるに際し、操作レバー自動化ユニットＡのユニット基板Ｂ１を、ビールサーバー本体壁部５の前側から袋ナット３、押さえスリーブ４を用いて固定し、さらに、ビールサーバー本体壁部５の後側からナット７を用いて固定する。つまり、ビールサーバー本体Ｂを一部解体し、ビールサーバー本体壁部５の内部からナット７を取り付ける作業ができる状態としなければならない。このようなビールサーバー本体Ｂの解体作業を、ビールサーバー本体Ｂを利用している現場、例えば居酒屋で、行うことは難しい。つまり、既に現場で利用されているビールサーバー本体Ｂに対して、その場で操作レバー自動化ユニットＡを取り付けることはできない、という改善すべき点がある。
【００２１】
現場で操作レバー自動化ユニットＡを取り付けることができず、一時的に作業場に引き取って取り付けようとするならば、ビールサーバー本体Ｂが現場に存在しない期間ができてしまい、結果としてビールサーバー本体Ｂの使用者に対して不便を強いることとなる。
【００２２】
また、操作レバー自動化ユニットＡをビールサーバー本体Ｂに対する取り付けるに際し、ビールサーバー本体Ｂを一部解体しなければならないため、取付作業が煩雑になる、という改善すべき点がある。
【００２３】
なお、操作レバー自動化ユニットＡをビールサーバー本体Ｂに対する取り付けた後に、再度、操作レバー自動化ユニットＡをビールサーバー本体Ｂから取り外し、手動のビールサーバー本体Ｂとして利用する場合も想定されることから、操作レバー自動化ユニットＡをビールサーバー本体Ｂに取り付けるに際し、ビールサーバー本体Ｂに対する後加工を施すことは適当でない場合もある。
【００２４】
そこで、本発明は、取付場所を選ばず、簡単に、手動液体供給装置を自動液体供給装置に変換する変換装置を提供することを目的とする。
【００２５】
そこで、本発明は、後加工を必要としない手動液体供給装置を自動液体供給装置に変換する変換装置を提供することを目的とする。
【発明の効果】
【００２６】
本発明における課題を解決するための手段及び発明の効果を以下に示す。
【００２７】
請求項１に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、磁力を用いて、前記取付板を固定すること、を特徴とする。
【００２８】
これにより、固定部及び取付板固定補助部を用いることによって、どんな手動液体供給装置に対しても容易に変換装置を取り付けることができる。
【００２９】
また、手動液体供給装置に対する後加工を必要とせずに、取付板を固定することができる。
【００３０】
請求項２に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、吸盤の吸着力を用いて、前記取付板を固定すること、を特徴とする。
【００３１】
これにより、固定部及び取付板固定補助部を用いることによって、どんな手動液体供給装置に対しても容易に変換装置を取り付けることができる。
【００３２】
また、手動液体供給装置に対する後加工を必要とせずに、取付板を固定することができる。
【００３３】
請求項３に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、前記取付板を前記手動液体供給装置の上面に引っ掛けることによって、前記取付板を固定すること、を特徴とする。
【００３４】
これにより、固定部及び取付板固定補助部を用いることによって、どんな手動液体供給装置に対しても容易に変換装置を取り付けることができる。
【００３５】
また、手動液体供給装置に対する後加工を必要とせずに、取付板を固定することができる。
【００３６】
請求項４に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、前記取付板に取り付けられる線状部材であって、前記手動液体供給装置に巻き付ける線状部材、を有する。
【００３７】
これにより、固定部及び取付板固定補助部を用いることによって、どんな手動液体供給装置に対しても容易に変換装置を取り付けることができる。
【００３８】
また、手動液体供給装置に対する後加工を必要とせずに、取付板を固定することができる。
【００３９】
請求項５に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、前記取付面から突出する爪状の保持部を有すること、を特徴とする。
【００４０】
これにより、固定部及び取付板固定補助部を用いることによって、どんな手動液体供給装置に対しても容易に変換装置を取り付けることができる。
【００４１】
また、手動液体供給装置に対する後加工を必要とせずに、取付板を固定することができる。
【００４２】
請求項６に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記手動液体供給装置の前記取付面に配置される取付係合部と係合する取付部、を有する。
【００４３】
これにより、固定部及び取付係合部を用いることによって、どんな手動液体供給装置に対しても容易に変換装置を取り付けることができる。
【００４４】
請求項７に係る手動液体供給装置を自動液体供給装置に変換する変換装置は、手動操作部を操作することによって、液体を吐出させ、又は、吐出を停止させたりする液体吐出部であって筐体の取付面から突出するものを有する手動液体供給装置に取り付ける手動液体供給装置を自動液体供給装置に変換する変換装置であって、前記変換装置は、前記手動操作部を自動的に操作する自動操作部、前記自動操作部を取り付ける取付部であって、前記液体吐出部を配置するための液体吐出部用開口を有し、前記液体吐出部に引っ掛ける板状の取付板を有する取付部、前記取付部を前記液体吐出部に配置した後、前記取付部に対して前記取付面とは反対側に位置し、前記液体吐出部の所定の固定位置に固定する固定部であって、前記液体吐出部の外形状に沿う形状の取付開口を有する固定部、前記取付板を、前記取付面に対して固定する取付板固定補助部、を有する手動液体供給装置を自動液体供給装置に変換する変換装置であって、前記取付板固定補助部は、下部から前記変換装置を支持すること、を特徴とする。
【００４５】
これにより、固定部及び取付板固定補助部を用いることによって、どんな手動液体供給装置に対しても容易に変換装置を取り付けることができる。
【００４６】
また、手動液体供給装置に対する後加工を必要とせずに、取付板を固定することができる。
【図面の簡単な説明】
【００４７】
【図１】本発明に係る手動液体供給装置を自動液体供給装置に変換する変換装置の一実施例である自動ビールディスペンサ変換装置１００を手動ビールディスペンサＭ１００に取り付けた状態を示す図である。
【図２】自動ビールディスペンサ変換装置１００の全体構成を示す図である。
【図３】変換装置本体１０１から上部カバー１１１ａ及び下部カバー１１１ｂを取り外した状態を示す図である。
【図４】取付ベース１０５を示す図であり、Ａは、ベースプレート１０５ａの裏側から見た状態を示し、ＢはＡのＸ−Ｘ断面を示す。
【図５】自動ビールディスペンサ変換装置１００の取付方法を示す図である。
【図６】自動ビールディスペンサ変換装置１００の取付方法を示す図である。
【図７】自動ビールディスペンサ変換装置１００の取付方法を示す図である。
【図８】自動ビールディスペンサ変換装置１００の取付方法を示す図である。
【図９】自動ビールディスペンサ変換装置１００の取付方法を示す図である。
【図１０】自動ビールディスペンサ変換装置１００の取付方法を示す図である。
【図１１】自動ビールディスペンサ変換装置１００の取付方法を示す図である。
【図１２】自動ビールディスペンサ変換装置１００の取付方法を示す図である。
【図１３】自動ビールディスペンサ変換装置１００の取付方法を示す図である。
【図１４】自動ビールディスペンサ変換装置１００の取付方法を示す図である。
【図１５】自動ビールディスペンサ変換装置１００の取付方法を示す図である。
【図１６】自動ビールディスペンサ変換装置１００の取付方法を示す図である。
【図１７】自動ビールディスペンサ変換装置２００の全体構成を示す図である。
【図１８】取付ベース２０５を示す図であり、Ａは、ベースプレート１０５ａの裏側から見た状態を示し、ＢはＡのＸ−Ｘ断面を示す。
【図１９】自動ビールディスペンサ変換装置２００の取付方法を示す図である。
【図２０】自動ビールディスペンサ変換装置３００の全体構成を示す図である。
【図２１】取付ベース３０５を示す図であり、Ａは、ベースプレート１０５ａの表側から見た状態を示し、ＢはＡのＸ−Ｘ断面を示す。
【図２１ａ】自動ビールディスペンサ変換装置３００の取付方法を示す図である。
【図２２】自動ビールディスペンサ変換装置３００の取付方法を示す図である。
【図２３】自動ビールディスペンサ変換装置４００の全体構成を示す図である。
【図２４】ベースプレート４０５ａを示す図であり、Ａは、ベースプレート４０５ａの裏側から見た状態を示し、ＢはＡのＸ−Ｘ断面を示す。
【図２５】自動ビールディスペンサ変換装置４００の取付方法を示す図である。
【図２６】自動ビールディスペンサ変換装置４００の取付方法を示す図である。
【図２７】自動ビールディスペンサ変換装置５００の全体構成を示す図である。
【図２８】自動ビールディスペンサ変換装置５００の取付方法を示す図である。
【図２９】自動ビールディスペンサ変換装置５００の取付方法を示す図である。
【図３０】自動ビールディスペンサ変換装置５００の取付方法を示す図である。
【図３１】自動ビールディスペンサ変換装置６００の取付方法を示す図である。
【図３２】自動ビールディスペンサ変換装置６００の取付方法を示す図である。
【図３３】自動ビールディスペンサ変換装置６００の取付方法を示す図である。
【図３４】自動ビールディスペンサ変換装置６００の取付方法を示す図である。
【図３５】自動ビールディスペンサ変換装置７００の全体構成を示す図である。
【図３６】自動ビールディスペンサ変換装置７００の取付方法を示す図である。
【図３７】自動ビールディスペンサ変換装置７００の取付方法を示す図である。
【図３８】従来の自動ビールサーバを示す図である。
【図３９】従来の自動ビールサーバを示す図である。
【図４０】従来の自動ビールサーバを示す図である。
【発明を実施するための形態】
【００４８】
以下、本発明の実施例について、図面を参照しながら詳細に説明していく。
【実施例１】
【００４９】
本発明に係る手動液体供給装置を自動液体供給装置に変換する変換装置の一例である手動液体供給装置である手動ビールディスペンサを自動ビールディスペンサに変換する変換装置（以下、自動ビールディスペンサ変換装置１００とする。）について図１〜図１６を用いて説明する。図１に、自動ビールディスペンサ変換装置１００を手動ビールディスペンサＭ１００に取り付けた状態を示す。自動ビールディスペンサ変換装置１００は、手動ビールディスペンサＭ１００に後付けし、所定位置にビールジョッキを配置すると自動的にビールを供給する自動ビールディスペンサに変換するものである。
【００５０】
第１  自動ビールディスペンサ変換装置１００の全体構成
自動ビールディスペンサ変換装置１００の全体構成について図２を用いて説明する。自動ビールディスペンサ変換装置１００は、変換装置本体１０１、固定リング１０３及び取付ベース１０５を有している。変換装置本体１０１は、手動ビールディスペンサＭ１００のビールコックＫ１００（図１参照）に配置される操作レバーＴ１００を自動的に操作するためのものである。固定リング１０３及び取付ベース１０５は、変換装置本体１０１を、手動ビールディスペンサＭ１００に固定するためのものである。
【００５１】
なお、操作レバーＴ１００は、ビール及び泡の吐出、停止を操作するために、使用者が手動で操作するものである。
【００５２】
以下において、変換装置本体１０１、固定リング１０３及び取付ベース１０５の構成について説明する。
【００５３】
１．変換装置本体１０１の構成
変換装置本体１０１の構成について、図２〜図７を用いて説明する。図２に示すように、変換装置本体１０１は、上部にレバー操作部１０１ａ、下部にジョッキ傾動部１０１ｂを有している。レバー操作部１０１ａは、上部カバー１１１ａを有している。レバー操作部１０１ａは、内部に主としてレバー操作機構を有している。レバー操作機構は、手動ビールディスペンサＭ１００の操作レバーＴ１００を操作するための機構である。レバー操作機構は、内部にモータを有し、外部からの操作によって、操作レバーＴ１００を操作する。なお、レバー操作部１０１ａは、従来同様、所定のレール（図示せず）に沿って上下に移動できるように構成されている。
【００５４】
ジョッキ傾動部１０１ｂは、下部カバー１１１ｂを有している。ジョッキ傾動部１０１ｂは、内部に主としてジョッキ傾動機構を有している。ジョッキ傾動機構は、ジョッキ傾動部１０１ｂのジョッキ載置プレートを傾動させるための機構である。ジョッキ傾動機構は、レバー操作機構の動作に連動して動作する。
【００５５】
レバー操作機構、ジョッキ傾動機構については、例えば、特願２０１３−０８６１６２、特願２０１３−０８６１６３に示す構成によって実現することができる。
【００５６】
２．固定リング１０３の構成
固定リング１０３の構成について、図２を用いて説明する。固定リング１０３は、２つの分割固定リング１０３ａ、１０３ｂ、分割固定リング結合ボルト１０３ｃ、及び固定リング取付開口１０３ｄを有している。なお、分割固定リング１０３ａ及び分割固定リング１０３ｂが一体となることによって、固定リング取付開口１０３ｄが形成される。
【００５７】
２つの分割固定リング１０３ａ、１０３ｂによって、手動ビールディスペンサＭ１００のビールコック取付部Ｃ１０１を左右から挟み込み、ビールコック取付部Ｃ１０１を固定リング取付開口１０３ｄに配置した後、分割固定リング結合ボルト１０３ｃによって、分割固定リング１０３ａ、１０３ｂを一体に結合するとともに、両者をビールコック取付部Ｃ１０１に固定する。
【００５８】
３．取付ベース１０５の構成
取付ベース１０５の構成について、図２を用いて説明する。取付ベース１０５は、ベースプレート１０５ａ及びベースプレート固定磁石１１５ｃ（図示せず：図４Ａ、図４Ｂ参照）を有している。
【００５９】
ベースプレート１０５ａは、金属製の板によって形成されている。また、ベースプレート１０５ａは、ベースプレート取付開口１０５ｂ、及び、本体取付開口１０５ｄを有している。ベースプレート取付開口１０５ｂは、ベースプレート１０５ａのほぼ中央に形成されている。ベースプレート取付開口１０５ｂは、ベースプレート１０５ａを手動ビールディスペンサＭ１００のビールコック取付部Ｃ１０１に取り付けるためのものである。ベースプレート取付開口１０５ｂは、手動ビールディスペンサＭ１００のビールコック取付部Ｃ１０１の外径と同様、又はそれ以上の径を有している。
【００６０】
本体取付開口１０５ｄは、ベースプレート取付開口１０５ｂを取り囲むように、複数、ベースプレート１０５ａに形成されている。本体取付開口１０５ｄは、変換装置本体１０１を、ベースプレート１０５ａに取り付けるためのものである。
【００６１】
取付ベース１０５を、ベースプレート１０５ａを裏側から、つまり、変換装置本体１０１が位置する側と反対する側から見た状態を図４Ａに示す。ベースプレート固定磁石１１５ｃは、ベースプレート１０５ａの裏側の四隅に配置されている。複数のベースプレート固定磁石１１５ｃを配置することによって、ベースプレート１０５ａを確実に手動ビールディスペンサＭ１００の筐体Ｃ１００に固定することができる。ベースプレート固定磁石１１５ｃは、ベースプレート１０５ａに接着剤等によって固定される。
【００６２】
図４ＡにおけるＸ−Ｘ断面を図４Ｂに示す。ベースプレート固定磁石１１５ｃは、ベースプレート１０５ａの裏側に形成される裏面Ｐ１０５ａと面一、又は、突出する固定面Ｐ１１５ｃを有している。ベースプレート１０５ａは、ベースプレート固定磁石１１５ｃの磁力によって、手動ビールディスペンサＭ１００の筐体Ｃ１００に固定される。
【００６３】
第２  自動ビールディスペンサ変換装置１００の取り付け方法
次に、自動ビールディスペンサ変換装置１００を手動ビールディスペンサＭ１００に取り付ける方法について、図５〜図１２を用いて説明する。
【００６４】
（１）  図５に示すように、自動ビールディスペンサ変換装置１００を取り付けようとする使用者は、手動ビールディスペンサＭ１００の筐体Ｃ１００からビールコックＫ１００（図１参照）を取り外す。図６に、ビールコックＫ１００を取り外した手動ビールディスペンサＭ１００を横から見た状態を示す。
【００６５】
そして、図７に示すように、使用者は、筐体Ｃ１００に設けられており、筐体Ｃ１００から突出しているビールコック取付部Ｃ１０１に、取付ベース１０５を取り付ける。取り付ける際には、図８に示すように、ベースプレート１０５ａの中央部に形成されているベースプレート取付開口１０５ｂにビールコック取付部Ｃ１０１が位置するようにし、ベースプレート固定磁石１１５ｃを、筐体Ｃ１００の取付面Ｐ１００に密着させる。これにより、ベースプレート１０５ａは、筐体Ｃ１００の取付面Ｐ１００の取付面Ｐ１００に沿うように配置される。ベースプレート１０５ａは、ベースプレート固定磁石１１５ｃの磁力によって、しっかりと筐体Ｃ１００に固定される。ここで、取付面Ｐ１００とは、ビールコック取付部Ｃ１０１が設置されている筐体Ｃ１００の面をいう。なお、ビールコック取付部Ｃ１０１の外形に比して、ベースプレート取付開口１０５ｂが大きめに形成されている場合には、ベースプレート１０５ａがビールコック取付部Ｃ１０１にぶら下がる状態となる。
【００６６】
（２）  図９に示すように、使用者は、固定リング１０３（図示せず）を形成する一つの分割固定リング１０３ａをビールコック取付部Ｃ１０１に取り付ける。このとき、図１０に示すように、ベースプレート１０５ａを取付面Ｐ１００に沿わせて配置しておく。また、分割固定リング１０３ａをできるだけベースプレート１０５ａの近くに配置する。
【００６７】
使用者は、図１１に示すように、もう一つの分割固定リング１０３ｂをビールコック取付部Ｃ１０１に取り付ける。これにより、ビールコック取付部Ｃ１０１は、分割固定リング１０３ａ、１０３ｂによって形成される固定リング取付開口１０３ｄに配置される。
【００６８】
さらに、図１２に示すように、使用者は、分割固定リング結合ボルト１０３ｃを用いて、分割固定リング１０３ａと分割固定リング１０３ｂとを一体に結合するとともに、ビールコック取付部Ｃ１０１に固定する。これにより、図１３に示すように、ベースプレート１０５ａは、筐体Ｃ１００の取付面Ｐ１００及び固定リング１０３によって挟まれた状態で手動ビールディスペンサＭ１００に対して取り付けられる。
【００６９】
（３）次に、図１４に示すように、使用者は、 手動ビールディスペンサＭ１００に固定されたベースプレート１０５ａの本体取付開口１０５ｄ（図２参照）に、変換装置本体１０１の取付突起（図示せず）を嵌め込む。これにより、変換装置本体１０１をベースプレート１０５ａに、ひいては 手動ビールディスペンサＭ１００に取り付けることができる。なお、変換装置本体１０１を取り付ける際には、変換装置本体１０１のレバー操作部１０１ａを上側に位置させておき、操作レバーＴ１００に干渉しないようにしておく。
【００７０】
（４）その後、図１５に示すように、使用者は、取り外しておいたビールコックＫ１００を 手動ビールディスペンサＭ１００に取り付ける。
【００７１】
（５）そして、図１６に示すように、使用者は、ベースプレート１０５ａに変換装置本体１０１を取り付けた後、レバー操作部１０１ａを下側（矢印ａ１６方向）に移動させて、操作レバーＴ１００がレバー操作部１０１ａの所定の位置に納まるようにする。
【実施例２】
【００７２】
前述の実施例１における自動ビールディスペンサ変換装置１００では、ベースプレート１０５ａを、ベースプレート固定磁石１１５ｃを用いて、手動ビールディスペンサＭ１００の筐体Ｃ１００に固定した。一方、本実施例における自動ビールディスペンサ変換装置２００では、ベースプレート１０５ａを、ベースプレート固定吸盤２１５ｃを用いて、手動ビールディスペンサＭ１００の筐体Ｃ１００に固定する。なお、以下においては、実施例１と同様の構成については、実施例１と同じ符号を付し、詳細な説明を省略する。
【００７３】
第１  自動ビールディスペンサ変換装置２００の全体構成
自動ビールディスペンサ変換装置２００の全体構成について図１７を用いて説明する。自動ビールディスペンサ変換装置２００は、変換装置本体１０１、固定リング１０３及び取付ベース２０５を有している。
【００７４】
以下において、取付ベース２０５の構成について説明する。
１．取付ベース２０５の構成
取付ベース２０５の構成について、図１７を用いて説明する。取付ベース２０５は、ベースプレート１０５ａ及びベースプレート固定吸盤２１５ｃ（図示せず：図１８Ａ、図１８Ｂ参照）を有している。
【００７５】
取付ベース２０５を、ベースプレート１０５ａを裏側から、つまり、変換装置本体１０１が位置する側と反対する側から見た状態を図１８Ａに示す。ベースプレート固定吸盤２１５ｃは、ベースプレート１０５ａの裏側の四隅に配置されている。複数のベースプレート固定吸盤２１５ｃを配置することによって、ベースプレート１０５ａを確実に手動ビールディスペンサＭ１００の筐体Ｃ１００に固定することができる。ベースプレート固定吸盤２１５ｃは、ベースプレート１０５ａに接着剤等によって固定される。
【００７６】
図１８ＡにおけるＸ−Ｘ断面を図１８Ｂに示す。ベースプレート固定吸盤２１５ｃは、ベースプレート１０５ａの裏側に形成される裏面Ｐ１０５ａと面一、又は、突出する吸着面Ｐ２１５ｃを有している。ベースプレート１０５ａは、ベースプレート固定吸盤２１５ｃの吸引力によって、手動ビールディスペンサＭ１００の筐体Ｃ１００に固定される。
【００７７】
第３  自動ビールディスペンサ変換装置２００の取り付け方法
次に、自動ビールディスペンサ変換装置２００を手動ビールディスペンサＭ１００に取り付ける方法について、図１９を用いて説明する。
【００７８】
自動ビールディスペンサ変換装置２００を取り付けようとする使用者は、手動ビールディスペンサＭ１００の筐体Ｃ１００からビールコックＫ１００（図１参照）を取り外した後、（（図５、図６参照）、図１９に示すように、ベースプレート１０５ａをビールコック取付部Ｃ１０１に取り付ける。ベースプレート１０５ａをビールコック取付部Ｃ１０１に取り付ける際には、ベースプレート１０５ａの中央部に形成されているベースプレート取付開口１０５ｂにビールコック取付部Ｃ１０１が位置するようにし、ベースプレート固定吸盤２１５ｃを、筐体Ｃ１００の取付面Ｐ１００に密着させる。これにより、ベースプレート１０５ａは、筐体Ｃ１００の取付面Ｐ１００の取付面Ｐ１００に沿うように配置される。ベースプレート固定吸盤２１５ｃの吸着面Ｐ２１５ｃ（図１８Ｂ参照）を筐体Ｃ１００の取付面Ｐ１００に密着させた後、ベースプレート固定吸盤２１５ｃを押圧する。
ベースプレート１０５ａは、ベースプレート固定吸盤２１５ｃの吸引力によって、しっかりと筐体Ｃ１００に固定される。以降の取付方法については、実施例１と同様である。
【実施例３】
【００７９】
前述の実施例１における自動ビールディスペンサ変換装置１００では、ベースプレート１０５ａを、ベースプレート固定磁石１１５ｃを用いて、筐体Ｃ１００に固定した。一方、本実施例における自動ビールディスペンサ変換装置３００では、ベースプレート１０５ａを、ベースプレート吊下部材３１５ｃを用いて、筐体Ｃ１００に固定する。なお、以下においては、実施例１と同様の構成については、実施例１と同じ符号を付し、詳細な説明を省略する。
【００８０】
第１  自動ビールディスペンサ変換装置３００の全体構成
自動ビールディスペンサ変換装置３００の全体構成について図２０を用いて説明する。自動ビールディスペンサ変換装置３００は、変換装置本体１０１、固定リング１０３及び取付ベース３０５を有している。
【００８１】
以下において、取付ベース３０５の構成について説明する。
１．取付ベース３０５の構成
取付ベース３０５の構成について、図２０を用いて説明する。取付ベース３０５は、ベースプレート３０５ａ及びベースプレート吊下部材３１５ｃ（図示せず：図２１Ａ、図２１Ｂ参照）を有している。取付ベース３０５を、ベースプレート３０５ａの表側から、つまり、変換装置本体１０１が位置する側から見た状態を図２１Ａに示す。
【００８２】
ベースプレート３０５ａは、ベースプレート取付開口３０５ｂ、及び、本体取付開口１０５ｄを有している。ベースプレート取付開口３０５ｂは、ベースプレート１０５ａのほぼ中央に形成される。ベースプレート取付開口３０５ｂは、矩形形状の中央開口３０５ｂ１に、上縁に沿って位置する半円形状の上縁開口部３０５ｂ３、及び、下縁に沿って位置する半円形状の下縁開口部３０５ｂ５を合成した形状を有している。中央開口３０５ｂ１は、手動ビールディスペンサＭ１００のビールコック取付部Ｃ１０１の外径と同様、又はそれ以上の横方向の開口長さｄ１を有している。また、中央開口３０５ｂ１は、ベースプレート吊下部材３１５ｃの第３吊下部材３１５ｃ５（後述）の長さｄ５と同様、又は、それ以上の縦方向の開口長さｄ３を有している。これにより、ベースプレート３０５ａを、ベースプレート吊下部材３１５ｃの存在に影響されることなく、手動ビールディスペンサＭ１００のビールコック取付部Ｃ１０１に取り付けることができる。
【００８３】
ベースプレート吊下部材３１５ｃは、ベースプレート３０５ａの上端に配置されている。なお、ベースプレート吊下部材３１５ｃは、ベースプレート３０５ａと一体として形成されている。
【００８４】
図２１ＡにおけるＸ−Ｘ断面を図２１Ｂに示す。ベースプレート吊下部材３１５ｃは、第１吊下部材３１５ｃ１、第２吊下部材３１５ｃ３、及び、第３吊下部材３１５ｃ５を有している。第１吊下部材３１５ｃ１及び第３吊下部材３１５ｃ５は、ベースプレート３０５ａの表面と並行となるように形成されている。第２吊下部材３１５ｃ３は、第１吊下部材３１５ｃ１と第３吊下部材３１５ｃ５とを繋げるように、第１吊下部材３１５ｃ１及び第３吊下部材３１５ｃ５に対して垂直となるように形成されている。なお、第２吊下部材３１５ｃ３の長さｄ７は、取り付ける手動ビールディスペンサＭ１００の筐体Ｃ１００の取付面Ｐ１００から、取付面Ｐ１００に対向して位置する裏面に向かう縦方向の長さｄ１００（図２１ａ参照）とほぼ同じである。ベースプレート吊下部材３１５ｃは、第１吊下部材３１５ｃ１、第２吊下部材３１５ｃ３、第３吊下部材３１５ｃ５によって形成される逆Ｕ字形状を有している。
【００８５】
ベースプレート吊下部材３１５ｃは、手動ビールディスペンサＭ１００の筐体Ｃ１００の上面に引っ掛けるようにして、筐体Ｃ１００に配置される。筐体Ｃ１００の上面に引っ掛けるようにすることによって、取付ベース３０５を確実に手動ビールディスペンサＭ１００の筐体Ｃ１００に固定することができる。なお、第２吊下部材３１５ｃ３の長さｄ７は、取り付ける手動ビールディスペンサＭ１００の筐体Ｃ１００の縦方向の長さｄ１００とほぼ同じであるため、取付ベース３０５を、がたつくこと等なく、しっかりと、固定的に、筐体Ｃ１００に取り付けることができる。
【００８６】
第３  自動ビールディスペンサ変換装置３００の取り付け方法
次に、自動ビールディスペンサ変換装置３００を手動ビールディスペンサＭ１００に取り付ける方法について、図２１ａ、図２２を用いて説明する。
【００８７】
自動ビールディスペンサ変換装置３００を取り付けようとする使用者は、手動ビールディスペンサＭ１００の筐体Ｃ１００からビールコックＫ１００（図１参照）を取り外した後、（（図５、図６参照）、図２１ａに示すように、ベースプレート１０５ａをビールコック取付部Ｃ１０１に取り付ける。ベースプレート３０５ａをビールコック取付部Ｃ１０１に取り付ける際には、ベースプレート３０５ａに形成されているベースプレート取付開口３０５ｂの下縁開口部３０５ｂ５が、ビールコック取付部Ｃ１０１の下縁に沿うように配置する。これにより、ベースプレート吊下部材３１５ｃが存在していても、ベースプレート３０５ａを、筐体Ｃ１００の取付面Ｐ１００に沿って取り付けることができる。その後、矢印ａ２１方向へ、取付ベース３０５を下降させる。そして、図２２に示すように、ベースプレート吊下部材３１５ｃの第２吊下部材３１５ｃ３が筐体Ｃ１００の上面に、第３吊下部材３１５ｃ５が筐体Ｃ１００の後面に、それぞれ接するように配置する。これにより、ベースプレート５０５ａは、ベースプレート吊下部材３１５ｃによって筐体Ｃ１００に吊り下げられる状態で、しっかりと筐体Ｃ１００に固定される。以降の取付方法については、実施例１と同様である。
【実施例４】
【００８８】
前述の実施例１における自動ビールディスペンサ変換装置１００では、ベースプレート１０５ａを、ベースプレート固定磁石１１５ｃを用いて、手動ビールディスペンサＭ１００の筐体Ｃ１００に固定した。一方、本実施例における自動ビールディスペンサ変換装置４００では、ベースプレート１０５ａを、線状部材４１５ｃを用いて、手動ビールディスペンサＭ１００の筐体Ｃ１００に固定する。なお、以下においては、実施例１と同様の構成については、実施例１と同じ符号を付し、詳細な説明を省略する。
【００８９】
第１  自動ビールディスペンサ変換装置４００の全体構成
自動ビールディスペンサ変換装置４００の全体構成について図２３を用いて説明する。自動ビールディスペンサ変換装置４００は、変換装置本体１０１、固定リング１０３及び取付ベース４０５を有している。
【００９０】
以下において、取付ベース４０５の構成について説明する。
１．取付ベース４０５の構成
取付ベース４０５は、ベースプレート４０５ａ、及び、線状部材４１５ｃを有している。
【００９１】
ベースプレート１０５ａを裏側から、つまり、変換装置本体１０１が位置する側と反対する側から見た状態を図２４Ａに示す。ベースプレート４０５ａは、固定孔４０５ｃをベースプレート４０５ａの上縁及び下縁に有している。
【００９２】
図２４ＡにおけるＸ−Ｘ断面を図２４Ｂに示す。固定孔４０５ｃは、ベースプレート４０５ａの上縁及び下縁の一部を、凹状に織り込むように形成される。固定孔４０５ｃに、線状部材４１５ｃを通すことによって、線状部材４１５ｃを、ベースプレート４０５ａの上縁及び下縁に沿って配置することができる。また、線状部材４１５ｃを固定孔４０５ｃに通すことによって、ベースプレート４０５ａと線状部材４１５ｃとを一体にできる。線状部材４１５ｃを、手動ビールディスペンサＭ１００の筐体Ｃ１００を取り巻くようにして、固定することによって、ベースプレート４０５ａを確実に手動ビールディスペンサＭ１００の筐体Ｃ１００に固定することができる。
【００９３】
第２  自動ビールディスペンサ変換装置４００の取り付け方法
次に、自動ビールディスペンサ変換装置４００を手動ビールディスペンサＭ１００に取り付ける方法について、図２５、図２６を用いて説明する。
【００９４】
自動ビールディスペンサ変換装置４００を取り付けようとする使用者は、手動ビールディスペンサＭ１００の筐体Ｃ１００からビールコックＫ１００（図１参照）を取り外した後、（（図５、図６参照）、図２５に示すように、ベースプレート４０５ａをビールコック取付部Ｃ１０１に取り付ける。ベースプレート４０５ａをビールコック取付部Ｃ１０１に取り付ける際には、ベースプレート４０５ａの中央部に形成されているベースプレート取付開口１０５ｂにビールコック取付部Ｃ１０１が位置するようにする。
【００９５】
ベースプレート４０５ａの固定孔４０５ｃに、線状部材４１５ｃを通す。線状部材４１５ｃを、筐体Ｃ１００を取り巻くように配置し、線状部材４１５ｃの両端部を互いに反対方向に引っ張り、線状部材４１５ｃの位置がずれることがないようにして、両端部を一体に固定する。なお、線状部材４１５ｃの両端部の固定には、一般的なかしめ部材を使用する。これにより、ベースプレート４０５ａは、筐体Ｃ１００の取付面Ｐ１００の取付面Ｐ１００に沿うように配置される。ベースプレート４０５ａは、線状部材４１５ｃによって、しっかりと筐体Ｃ１００に固定される。以降の取付方法については、実施例１と同様である。
【実施例５】
【００９６】
前述の実施例１における自動ビールディスペンサ変換装置１００では、ベースプレート１０５ａを、ベースプレート固定磁石１１５ｃを用いて、手動ビールディスペンサＭ１００の筐体Ｃ１００に固定した。一方、本実施例における自動ビールディスペンサ変換装置５００では、ベースプレート１０５ａを、ベースプレート保持部材５１５ｃを用いて、手動ビールディスペンサＭ１００の筐体Ｃ１００に固定する。なお、以下においては、実施例１と同様の構成については、実施例１と同じ符号を付し、詳細な説明を省略する。
【００９７】
第１  自動ビールディスペンサ変換装置５００の全体構成
自動ビールディスペンサ変換装置５００の全体構成について図２７を用いて説明する。自動ビールディスペンサ変換装置５００は、変換装置本体１０１、固定リング１０３及び取付ベース５０５を有している。
【００９８】
以下において、取付ベース５０５の構成について説明する。
１．取付ベース５０５の構成
取付ベース５０５は、ベースプレート５０５ａ、及び、ベースプレート保持部材５１５ｃを有している。ベースプレート５０５ａは、基本的には、ベースプレート１０５ａ（図２参照）と、同様の構成を有している。ただし、ベースプレート５０５ａは、ベースプレート１０５ａとは異なり、矩形面の左右縁に沿って形成される折り曲げ部を有していない。これにより、ベースプレート５０５ａは、縦方向に容易に湾曲する。
【００９９】
ベースプレート保持部材５１５ｃは、手動ビールディスペンサＭ１００の筐体Ｃ１００の前面に、固定しようとするベースプレート５０５ａの上縁及び下縁に沿って、固定される。ベースプレート保持部材５１５ｃは、接着剤等によって、筐体Ｃ１００に固定される。
【０１００】
第２  自動ビールディスペンサ変換装置５００の取り付け方法
次に、自動ビールディスペンサ変換装置５００を手動ビールディスペンサＭ１００に取り付ける方法について、図２８〜図３０を用いて説明する。
【０１０１】
（１）  自動ビールディスペンサ変換装置１００を取り付けようとする使用者は、手動ビールディスペンサＭ１００の筐体Ｃ１００からビールコックＫ１００を取り外した後（図５参照）、図２８に示すように、ベースプレート保持部材５１５ｃを筐体Ｃ１００の所定の位置に固定する。ここで、ベースプレート保持部材５１５ｃは、筐体Ｃ１００に対するベースプレート５０５ａの固定位置を予め確認した上で、ベースプレート５０５ａの上縁、下縁に沿うように、固定する。なお、ベースプレート保持部材５１５ｃは、接着剤等によって、筐体Ｃ１００に固定される。図２９に、ベースプレート保持部材５１５ｃを筐体Ｃ１００に取り付けた手動ビールディスペンサＭ１００を横から見た状態を示す。
【０１０２】
そして、図３０に示すように、使用者は、筐体Ｃ１００に設けられており、筐体Ｃ１００から突出しているビールコック取付部Ｃ１０１に、取付ベース５０５を取り付ける。取り付ける際には、ベースプレート５０５ａの中央部に形成されているベースプレート取付開口１０５ｂにビールコック取付部Ｃ１０１が位置するようにし、ベースプレート５０５ａの上縁が上側のベースプレート保持部材５１５ｃに沿うように、また、下縁が下側のベースプレート保持部材５１５ｃに沿うように、取り付ける。なお、ベースプレート５０５ａの上縁が上側のベースプレート保持部材５１５ｃに沿うように、また、下縁が下側のベースプレート保持部材５１５ｃに沿うように、取り付ける際には、ベースプレート５０５ａを湾曲させるようにする（図３０点線参照）。これにより、ベースプレート５０５ａは、筐体Ｃ１００の取付面Ｐ１００の取付面Ｐ１００に沿うように配置される。ベースプレート５０５ａは、ベースプレート保持部材５１５ｃによって位置が固定されるため、しっかりと筐体Ｃ１００に固定される。以降の取付方法については、実施例１と同様である。
【実施例６】
【０１０３】
前述の実施例１における自動ビールディスペンサ変換装置１００では、ベースプレート１０５ａを、ベースプレート固定磁石１１５ｃを用いて、手動ビールディスペンサＭ１００の筐体Ｃ１００に固定した。一方、本実施例における自動ビールディスペンサ変換装置６００では、手動ビールディスペンサＭ６００の筐体Ｃ６００に、直接的に、固定する。なお、以下においては、実施例１と同様の構成については、実施例１と同じ符号を付し、詳細な説明を省略する。
【０１０４】
第１  自動ビールディスペンサ変換装置６００の全体構成
自動ビールディスペンサ変換装置６００の全体構成は、実施例１における自動ビールディスペンサ変換装置１００の変換装置本体１０１（図２参照）のみによって形成されている。一方、図３１に示すように、手動ビールディスペンサＭ６００の筐体Ｃ６００は、自動ビールディスペンサ変換装置１００の取付ベース１０５に形成されている本体取付開口１０５ｄと同様の本体取付開口６０５ｄを有している。なお、本体取付開口６０５ｄは、ビールコック取付部Ｃ１０１を中心として、ビールコック取付部Ｃ１０１を取り囲むように、複数、形成されている。
【０１０５】
第２  自動ビールディスペンサ変換装置６００の取り付け方法
次に、自動ビールディスペンサ変換装置６００を手動ビールディスペンサＭ６００に取り付ける方法について、図３１〜図３４を用いて説明する。
【０１０６】
（１）  図３１に示すように、自動ビールディスペンサ変換装置６００を取り付けようとする使用者は、手動ビールディスペンサＭ６００の筐体Ｃ６００からビールコックＫ１００（図１参照）を取り外す。
【０１０７】
（２）次に、図３２に示すように、使用者は、 手動ビールディスペンサＭ６００の本体取付開口６０５ｄ（図３１参照）に、自動ビールディスペンサ変換装置６００の取付突起（図示せず）を嵌め込む。これにより、自動ビールディスペンサ変換装置６００を 手動ビールディスペンサＭ６００に取り付けることができる。なお、自動ビールディスペンサ変換装置６００を取り付ける際には、自動ビールディスペンサ変換装置６００のレバー操作部１０１ａを上側に位置させておき、操作レバーＴ１００に干渉しないようにしておく。
【０１０８】
（３）その後、図３３に示すように、使用者は、取り外しておいたビールコックＫ１００を 手動ビールディスペンサＭ６００に取り付ける。
【０１０９】
（４）そして、図３４に示すように、使用者は、筐体Ｃ６００に自動ビールディスペンサ変換装置６００を取り付けた後、レバー操作部１０１ａを下側（矢印ａ１６方向）に移動させて、操作レバーＴ１００がレバー操作部１０１ａの所定の位置に納まるようにする。
【実施例７】
【０１１０】
前述の実施例１における自動ビールディスペンサ変換装置１００では、ベースプレート１０５ａを、ベースプレート固定磁石１１５ｃを用いて、手動ビールディスペンサＭ１００の筐体Ｃ１００に固定した。一方、本実施例における自動ビールディスペンサ変換装置７００では、変換装置本体１０１を、変換装置本体１０１の下部に配置する本体台座７０７を用いて筐体Ｃ６００に固定する。なお、以下においては、実施例１と同様の構成については、実施例１と同じ符号を付し、詳細な説明を省略する。
【０１１１】
第１  自動ビールディスペンサ変換装置７００の全体構成
自動ビールディスペンサ変換装置７００の全体構成について図３５を用いて説明する。自動ビールディスペンサ変換装置７００は、変換装置本体１０１、固定リング１０３、取付ベース７０５、及び、本体台座７０７を有している。取付ベース７０５は、実施例１におけるベースプレート１０５ａによって構成されている。なお、取付ベース７０５は、手動ビールディスペンサＭ１００の筐体Ｃ１００の取付面Ｐ１００と固定リング１０３との間で、簡易的に、筐体Ｃ１００に固定される。
【０１１２】
本体台座７０７は、直方体形状を有している。本体台座７０７は、筐体Ｃ１００に取り付けられた変換装置本体１０１の下部に配置される。本体台座７０７は、変換装置本体１０１と、筐体Ｃ１００に取り付けられている受け皿Ｕ１００（図３６参照）との間で、両者に突っ張るようにして固定される。本体台座７０７は、取付ベース７０５に取り付けられた変換装置本体１０１がビールコック取付部Ｃ１０１を中心に回転することを防止し、変換装置本体１０を手動ビールディスペンサＭ１００に固定する。
【０１１３】
第２  自動ビールディスペンサ変換装置７００の取り付け方法
次に、自動ビールディスペンサ変換装置７００を手動ビールディスペンサＭ１００に取り付ける方法について、図３６を用いて説明する。
【０１１４】
ベースプレート１０５ａに変換装置本体１０１を取り付けた後（図１５参照）、図３６に示すように、使用者は、変換装置本体１０１と受け皿Ｕ１００との間、変換装置本体１０１の下部に、本体台座７０７を挿入する。その後、使用者は、レバー操作部１０１ａを下側に移動させて、操作レバーＴ１００がレバー操作部１０１ａの所定の位置に納まるようにする（図１６参照）。
【０１１５】
［他の実施例］
（１）液体：前述の実施例１においては、吐出する液体としてビールを例示したが、液体であれば例示のものに限定されない。例えば、炭酸飲料、清涼飲料水、水等であってもよい。
【０１１６】
（２）変換装置本体の取付：前述の実施例１においては、変換装置本体１０１を手動ビールディスペンサＭ１００に取り付ける際には、変換装置本体１０１に配置されている取付突起を、手動ビールディスペンサＭ１００の筐体Ｃ１００に取り付けられているベースプレート１０５ａの本体取付開口１０５ｄに嵌合することによって両者を固定したが、両者を固定できるものであれば、例示のものに限定されない。例えば、変換装置本体１０１に本体取付開口１０５ｄを形成し、ベースプレート１０５ａに取付突起を形成するようにしてもよい。その他の実施例についても、同様である。
【０１１７】
（３）線状部材４１５ｃの取付：前述の実施例４においては、線状部材４１５ｃを、ベースプレート４０５ａに形成される固定孔４０５ｃに通すとしたが、両者を一体とできるものであれば、例示のものに限定されない。例えば、実施例１のベースプレート１０５ａに、線状部材４１５ｃを溶接により固定するようにしてもよい。また、筒状部材をベースプレート１０５ａに接着、溶接等により固定し、ベースプレート４０５ａを形成するようにしてもよい。この場合、筒状部材に線状部材４１５ｃを通すようにすればよい。
【０１１８】
さらに、線状部材４１５ｃを筐体Ｃ１００に巻き付ける際に、図３７に示す取付ベース８０５の受け部材８０５ａを、筐体Ｃ１００に取り付けるようにしてもよい。この場合、受け部材８０５ａを、実施例５におけるベースプレート保持部材５１５ｃのように接着剤等を用いて筐体Ｃ１００に取り付けるようにすればよい。また、実施例６における筐体Ｃ６００のように、予め受け部材４１７を形成した筐体を用意するようにしてもよい。
【０１１９】
（４）ビールコックＫ１００の取り付け：前述の実施例１においては、手動ビールディスペンサＭ１００では、ビールコックＫ１００が、手動ビールディスペンサＭ１００の筐体Ｃ１００に形成されるビールコック取付部Ｃ１０１を介して、筐体Ｃ１００に取り付けられていたが、ビールコックＫ１００を筐体Ｃ１００に取り付けることができるものであれば、例示のものに限定されない。例えば、ビールコック取付部Ｃ１０１を介さずに、筐体Ｃ１００に直接的に取り付けるものであってもよい。この場合、ベースプレート１０５ａは、筐体Ｃ１００から突出するビールコックＫ１００に引っ掛けるように配置される。
【０１２０】
また、手動ビールディスペンサＭ１００は、ビールコックＫ１００が手動ビールディスペンサＭ１００の筐体Ｃ１００から分離できるものであったが、分離できないものであってもよい。この場合、ビールコック取付部Ｃ１０１に相当する部分が形成されていても、形成されていなくとも、ベースプレート１０５ａをビールコックＫ１００に取り付けることができるものであればよい。
【０１２１】
（５）取付ベース３０５の構成：前述の実施例３においては、取付ベース３０５を手動ビールディスペンサＭ１００の筐体Ｃ１００に取り付けるために、ベースプレート３０５ａに、縦長のベースプレート取付開口３０５ｂを形成することとしたが、取付ベース３０５を手動ビールディスペンサＭ１００の筐体Ｃ１００に取り付けることができる構成であれば、例示のものに限定されない。例えば、ベースプレート３０５ａに、他の実施例と同様に、円形状のベースプレート取付開口１０５ｂを形成した上で、第１吊下部材３１５ｃ１と第２吊下部材３１５ｃ３との間に蝶番を配置することによって、取付ベース３０５を手動ビールディスペンサＭ１００の筐体Ｃ１００に取り付けるようにしてもよい。また、ベースプレート３０５ａに、円形状のベースプレート取付開口１０５ｂを形成した上で、第１吊下部材３１５ｃ１、第２吊下部材３１５ｃ３を湾曲できるようにして、取付ベース３０５を手動ビールディスペンサＭ１００の筐体Ｃ１００に取り付けるようにしてもよい。
【０１２２】
また、取付ベース３０５の第２吊下部材３１５ｃ３の長さｄ７は、取り付ける手動ビールディスペンサＭ１００の筐体Ｃ１００の縦方向の長さｄ１００とほぼ同じとしたが、第２吊下部材３１５ｃ３を、２本の板状部材と、２本の板状部材の長さを固定するネジ等のロック機構によって形成し、第２吊下部材３１５ｃ３の長さｄ７を調整できるようにしてもよい。これにより、筐体Ｃ１００の縦の長さｄ１００に合わせて、第２吊下部材３１５ｃ３の長さｄ７を調整できるので、手動ビールディスペンサＭ１００のサイズにかかわらず、取付ベース３０５をがたなく固定することができる。
【０１２３】
（６）ベースプレート５０５ａの構成：前述の実施例５においては、ベースプレート５０５ａは、ベースプレート１０５ａとは異なり、矩形面の左右縁に沿って形成される折り曲げ部を形成しないことにより、ベースプレート５０５ａは、縦方向に容易に湾曲するようにしたが、ベースプレート５０５ａを湾曲させることができる構成であれば、例示のものに限定されない。例えば、ースプレート５０５ａは、ベースプレート１０５ａに形成される矩形面の左右縁に沿って形成される折り曲げ部に、複数の切れ込みを入れることによって、ベースプレート５０５ａを湾曲させるようにしてもよい。
【産業上の利用可能性】
【０１２４】
本発明に係る手動液体供給装置を自動液体供給装置に変換する変換装置は、例えば、手動で飲料を供給する手動飲料ディスペンサに利用することができる。
【符号の説明】
【０１２５】
１００・・・・・自動ビールディスペンサ変換装置
１０１・・・・・変換装置本体
１０１ａ・・・レバー操作部
１０１ｂ・・・ジョッキ傾動部
１０３・・・・・固定リング
１０３ａ・・・分割固定リング
１０３ｂ・・・分割固定リング
１０３ｃ・・・分割固定リング結合ボルト
１０３ｄ・・・固定リング取付開口
１０５・・・・・取付ベース
１０５ａ・・・ベースプレート
１０５ｂ・・・ベースプレート取付開口
１０５ｃ・・・ベースプレート固定ボルト
１０５ｄ・・・本体取付開口
２００・・・・・自動ビールディスペンサ変換装置
３００・・・・・自動ビールディスペンサ変換装置
４００・・・・・自動ビールディスペンサ変換装置
５００・・・・・自動ビールディスペンサ変換装置
６００・・・・・自動ビールディスペンサ変換装置
７００・・・・・自動ビールディスペンサ変換装置
【図１】
2016117500.tif 000003
【図２】
2016117500.tif 000004
【図３】
2016117500.tif 000005
【図４】
2016117500.tif 000006
【図５】
2016117500.tif 000007
【図６】
2016117500.tif 000008
【図７】
2016117500.tif 000009
【図８】
2016117500.tif 000010
【図９】
2016117500.tif 000011
【図１０】
2016117500.tif 000012
【図１１】
2016117500.tif 000013
【図１２】
2016117500.tif 000014
【図１３】
2016117500.tif 000015
【図１４】
2016117500.tif 000016
【図１５】
2016117500.tif 000017
【図１６】
2016117500.tif 000018
【図１７】
2016117500.tif 000019
【図１８】
2016117500.tif 000020
【図１９】
2016117500.tif 000021
【図２０】
2016117500.tif 000022
【図２１】
2016117500.tif 000023
【図２１ａ】
2016117500.tif 000024
【図２２】
2016117500.tif 000025
【図２３】
2016117500.tif 000026
【図２４】
2016117500.tif 000027
【図２５】
2016117500.tif 000028
【図２６】
2016117500.tif 000029
【図２７】
2016117500.tif 000030
【図２８】
2016117500.tif 000031
【図２９】
2016117500.tif 000032
【図３０】
2016117500.tif 000033
【図３１】
2016117500.tif 000034
【図３２】
2016117500.tif 000035
【図３３】
2016117500.tif 000036
【図３４】
2016117500.tif 000037
【図３５】
2016117500.tif 000038
【図３６】
2016117500.tif 000039
【図３７】
2016117500.tif 000040
【図３８】
2016117500.tif 000041
【図３９】
2016117500.tif 000042
【図４０】
2016117500.tif 000043